(57)【特許請求の範囲】
【請求項１】
開閉可能なカバー部材と、内部空間とを備えた装置本体と、
前記装置本体に配置され、回転され、周面に静電潜像が形成される像担持体と、
現像剤が補給される現像剤補給口と、装着部と、を備え、前記カバー部材の開状態において、前記内部空間において前記像担持体に対向する現像位置に装着され、前記像担持体に前記現像剤を供給する現像装置と、
前記現像剤が排出される現像剤排出口と、記憶部とを備え、内部に前記現像剤を収容し、前記カバー部材の開状態において、前記現像剤排出口が前記現像剤補給口に連通するように前記現像装置の前記装着部に予め装着された状態で前記現像装置と一体的に前記内部空間に装着される第１の装着態様、または、前記カバー部材の開状態において、予め前記内部空間に装着された前記現像装置の前記装着部に前記現像剤排出口が前記現像剤補給口に連通するように装着される第２の装着態様から、選択的に前記内部空間に装着可能な現像剤収容容器と、
前記装置本体において、前記現像剤収容容器に対向して配置され、前記第１の装着態様または前記第２の装着態様によって前記内部空間に装着された前記現像剤収容容器の前記記憶部に電気的に接続されるコネクタ部と、
を有し、
前記記憶部は、基板部と、前記基板部において外部に露出した第１グランド端子および第１入出力端子と、を備え、
前記コネクタ部は、
開口部と、前記開口部の一の側部を画定する端縁と、を含むコネクタハウジングと、
前記開口部から突出して配置され、弾性変形可能とされ、前記現像剤収容容器が前記内部空間に装着されると前記第１グランド端子および前記第１入出力端子にそれぞれ接触する第２グランド端子および第２入出力端子と、
を備え、
前記第２グランド端子および前記第２入出力端子がそれぞれ前記コネクタハウジングの前記端縁に弾性力をもって当接することで、前記開口部に対する第２グランド端子および前記第２入出力端子の最大突出量が規制され、
前記装置本体は、前記現像装置の前記内部空間への進入をガイドするガイドユニットを備え、
前記コネクタハウジングは、前記ガイドユニットに回動可能に軸支されるハウジング軸部を備え、
前記コネクタ部は、前記コネクタハウジングと前記ガイドユニットとの間で圧縮変形可能とされ、前記第２グランド端子および前記第２入出力端子が前記第１グランド端子および前記第１入出力端子に近づく方向に、前記コネクタハウジングを前記軸部回りに付勢する第１付勢部材を更に備え、
前記現像剤収容容器が前記第１の装着態様または前記第２の装着態様によって前記内部空間に装着される際に、前記第１付勢部材が圧縮変形されることで、前記第２グランド端子および前記第２入出力端子の前記第１グランド端子および前記第１入出力端子に対する当接圧が調整され、
前記現像剤収容容器の前記記憶部は、前記基板部を挟むように立設された一対のガイド片を備え、
前記コネクタハウジングは、
前記開口部が開口され、前記記憶部に対向して配置される対向面と、
前記開口部を挟むように前記対向面から立設された一対のガイド部と、
を備え、
前記一対のガイド部は、
前記対向面に沿う方向において前記軸部に近づくに従って先拡がりとなる第１ガイド部と、
前記対向面と垂直な方向において前記対向面から離れるに従って先拡がりとなる第２ガイド部と、
を備え、
前記第１の装着態様において、前記現像剤収容容器が前記内部空間に装着される際に、前記記憶部の前記ガイド片が前記第２ガイド部にガイドされることで、前記基板部が前記対向面に対向して配置され、前記第２の装着態様において、前記現像剤収容容器が前記内部空間に装着される際に、前記記憶部の前記ガイド片が前記第１ガイド部にガイドされることで、前記基板部が前記対向面に対向して配置されることを特徴とする画像形成装置。
【請求項２】
前記端縁は、前記開口部の前記側部を画定する第１端縁と、前記第２グランド端子に対向して前記第１端縁の一部が切り欠かれた形状からなる第２端縁と、を備え、
前記第２グランド端子が前記第２端縁に当接し、前記第２入出力端子が前記第１端縁に当接することで、前記第２グランド端子の前記開口部に対する最大突出量が前記第２入出力端子の前記開口部に対する最大突出量よりも大きく設定されることを特徴とする請求項１に記載の画像形成装置。
【請求項３】
前記コネクタハウジングは、前記ハウジング軸部の軸方向に所定の距離だけスライド移動可能となるように、前記ガイドユニットに支持されていることを特徴とする請求項１に記載の画像形成装置。
【請求項４】
開閉可能なカバー部材と、内部空間とを備えた装置本体と、
前記装置本体に配置され、回転され、周面に静電潜像が形成される像担持体と、
現像剤が補給される現像剤補給口と、装着部と、を備え、前記カバー部材の開状態において、前記内部空間において前記像担持体に対向する現像位置に装着され、前記像担持体に前記現像剤を供給する現像装置と、
前記現像剤が排出される現像剤排出口と、記憶部とを備え、内部に前記現像剤を収容し、前記カバー部材の開状態において、前記現像剤排出口が前記現像剤補給口に連通するように前記現像装置の前記装着部に予め装着された状態で前記現像装置と一体的に前記内部空間に装着される第１の装着態様、または、前記カバー部材の開状態において、予め前記内部空間に装着された前記現像装置の前記装着部に前記現像剤排出口が前記現像剤補給口に連通するように装着される第２の装着態様から、選択的に前記内部空間に装着可能な現像剤収容容器と、
前記装置本体において、前記現像剤収容容器に対向して配置され、前記第１の装着態様または前記第２の装着態様によって前記内部空間に装着された前記現像剤収容容器の前記記憶部に電気的に接続されるコネクタ部と、
を有し、
前記記憶部は、基板部と、前記基板部において外部に露出した第１グランド端子および第１入出力端子と、を備え、
前記コネクタ部は、
開口部と、前記開口部の一の側部を画定する端縁と、を含むコネクタハウジングと、
前記開口部から突出して配置され、弾性変形可能とされ、前記現像剤収容容器が前記内部空間に装着されると前記第１グランド端子および前記第１入出力端子にそれぞれ接触する第２グランド端子および第２入出力端子と、
を備え、
前記第２グランド端子および前記第２入出力端子がそれぞれ前記コネクタハウジングの前記端縁に弾性力をもって当接することで、前記開口部に対する第２グランド端子および前記第２入出力端子の最大突出量が規制され、
前記コネクタ部は、前記開口部から突出した前記第２グランド端子および前記第２入出力端子をそれぞれ露出させる複数の窓部を備え、前記開口部を覆うように配置されるシャッターを更に有し、
前記シャッターは、前記複数の窓部に隣接して配置され、接地されるアース部を備え、
前記コネクタ部は、前記シャッターが前記開口部から突出するように前記シャッターを付勢する第２付勢ばねを更に有し、
前記アース部は、前記第２付勢ばねの一部から構成されることを特徴とする画像形成装置。
【請求項５】
開閉可能なカバー部材と、内部空間とを備えた装置本体と、
前記装置本体に配置され、回転され、周面に静電潜像が形成される像担持体と、
現像剤が補給される現像剤補給口と、装着部と、を備え、前記カバー部材の開状態において、前記内部空間において前記像担持体に対向する現像位置に装着され、前記像担持体に前記現像剤を供給する現像装置と、
前記現像剤が排出される現像剤排出口と、記憶部とを備え、内部に前記現像剤を収容し、前記カバー部材の開状態において、前記現像剤排出口が前記現像剤補給口に連通するように前記現像装置の前記装着部に予め装着された状態で前記現像装置と一体的に前記内部空間に装着される第１の装着態様、または、前記カバー部材の開状態において、予め前記内部空間に装着された前記現像装置の前記装着部に前記現像剤排出口が前記現像剤補給口に連通するように装着される第２の装着態様から、選択的に前記内部空間に装着可能な現像剤収容容器と、
前記装置本体において、前記現像剤収容容器に対向して配置され、前記第１の装着態様または前記第２の装着態様によって前記内部空間に装着された前記現像剤収容容器の前記記憶部に電気的に接続されるコネクタ部と、
を有し、
前記記憶部は、基板部と、前記基板部において外部に露出した第１グランド端子および第１入出力端子と、を備え、
前記コネクタ部は、
開口部と、前記開口部の一の側部を画定する端縁と、を含むコネクタハウジングと、
前記開口部から突出して配置され、弾性変形可能とされ、前記現像剤収容容器が前記内部空間に装着されると前記第１グランド端子および前記第１入出力端子にそれぞれ接触する第２グランド端子および第２入出力端子と、
を備え、
前記第２グランド端子および前記第２入出力端子がそれぞれ前記コネクタハウジングの前記端縁に弾性力をもって当接することで、前記開口部に対する第２グランド端子および前記第２入出力端子の最大突出量が規制され、
前記コネクタ部は、前記開口部から突出した前記第２グランド端子および前記第２入出力端子をそれぞれ露出させる複数の窓部を備え、前記開口部を覆うように配置されるシャッターを更に有し、
前記記憶部が前記コネクタ部に対向して配置されると、前記シャッターが前記コネクタハウジングおよび前記基板部に挟まれることで、前記第２グランド端子および前記第２入出力端子の前記第１グランド端子および前記第１入出力端子に対する最終的な当接圧が規制されることを特徴とする画像形成装置。
【発明の詳細な説明】
【技術分野】
【０００１】
本発明は、シートに画像を形成する画像形成装置に関するものである。
【背景技術】
【０００２】
従来、シートに画像を形成する画像形成装置として、装置本体と、感光体ドラム（像担持体）と、現像装置と、現像剤収容容器と、を備えたものが知られている。現像装置は、感光体ドラムに現像剤を供給する。この結果、感光体ドラム上の静電潜像が現像される。現像剤収容容器は、現像装置に現像剤を補給する。
【０００３】
特許文献１には、現像剤収容容器が装置本体に対して着脱可能とされる技術が開示されている。このような技術では、装置本体のカバー部材が開放されると、装置本体の内部に現像剤収容容器が装着される。そして、現像剤収容容器の現像剤排出口が現像装置の現像剤補給口に連通すると、現像装置に現像剤が補給可能とされる。
【０００４】
また、装置本体との間で所定の情報を送受信するために、現像剤収容容器がＩＣチップ（記憶部）を備える技術が知られている。ＩＣチップが装置本体との間で情報の送受信を行う通信方式として、無線式または接触式の通信方式が採用される。
【先行技術文献】
【特許文献】
【０００５】
【特許文献１】特開２０１２−２３０２８０号公報
【発明の概要】
【発明が解決しようとする課題】
【０００６】
特許文献１に記載されたように、装置本体に対して着脱可能とされる現像剤収容容器の記憶部において、接触式の通信方式が採用される場合、現像剤収容容器の装着姿勢によって接触不良が生じやすいという課題があった。
【０００７】
本発明は、上記のような課題を解決するためになされたものであり、現像剤収容容器が複数の姿勢で装置本体に対して着脱可能とされる場合であっても、記憶部の接触不良を抑止した画像形成装置を提供することを目的とする。
【課題を解決するための手段】
【０００８】
本発明の一局面に係る画像形成装置は、開閉可能なカバー部材と、内部空間とを備えた装置本体と、前記装置本体に配置され、回転され、周面に静電潜像が形成される像担持体と、現像剤が補給される現像剤補給口と、装着部と、を備え、前記カバー部材の開状態において、前記内部空間において前記像担持体に対向する現像位置に装着され、前記像担持体に前記現像剤を供給する現像装置と、前記現像剤が排出される現像剤排出口と、記憶部とを備え、内部に前記現像剤を収容し、前記カバー部材の開状態において、前記現像剤排出口が前記現像剤補給口に連通するように前記現像装置の前記装着部に予め装着された状態で前記現像装置と一体的に前記内部空間に装着される第１の装着態様、または、前記カバー部材の開状態において、予め前記内部空間に装着された前記現像装置の前記装着部に前記現像剤排出口が前記現像剤補給口に連通するように装着される第２の装着態様から、選択的に前記内部空間に装着可能な現像剤収容容器と、前記装置本体において、前記現像剤収容容器に対向して配置され、前記第１の装着態様または前記第２の装着態様によって前記内部空間に装着された前記現像剤収容容器の前記記憶部に電気的に接続されるコネクタ部と、を有し、前記記憶部は、基板部と、前記基板部において外部に露出した第１グランド端子および第１入出力端子と、を備え、前記コネクタ部は、開口部と、前記開口部の一の側部を画定する端縁と、を含むコネクタハウジングと、前記開口部から突出して配置され、弾性変形可能とされ、前記現像剤収容容器が前記内部空間に装着されると前記第１グランド端子および前記第１入出力端子にそれぞれ接触する第２グランド端子および第２入出力端子と、を備え、前記２グランド端子および前記第２入出力端子がそれぞれ前記コネクタハウジングの前記端縁に弾性力をもって当接することで、前記開口部に対する第２グランド端子および前記第２入出力端子の最大突出量が規制されることを特徴とする。
【０００９】
本構成によれば、コネクタ部において、接触不良が生じやすい端子などの突出量を予め高く設定することができる。このため、現像剤収容容器が複数の姿勢で装置本体に装着される場合であっても、コネクタ部と記憶部の基板部との間の接触不良が防止される。
【００１０】
上記の構成において、前記端縁は、前記開口部の前記側部を画定する第１端縁と、前記第２グランド端子に対向して前記第１端縁の一部が切り欠かれた形状からなる第２端縁と、を備え、前記第２グランド端子が前記第２端縁に当接し、前記第２入出力端子が前記第１端縁に当接することで、前記第２グランド端子の前記開口部に対する最大突出量が前記第２入出力端子の前記開口部に対する最大突出量よりも大きく設定されることが望ましい。
【００１１】
本構成によれば、現像剤収容容器の装置本体に対する装着に伴って、基板部が異なる方向からコネクタ部に進入する場合であっても、複数の端子のうち第１グランド端子が第２グランド端子に最初にかつ確実に接触することができる。この結果、コネクタ部と基板部との間の接触不良やリークなどによって、基板部が損傷することが防止される。また、現像剤収容容器の装着後に、基板部のグランド電位が安定して維持されるため、基板部と装置本体との間の各種情報の送受信が安定して実現される。
【００１２】
上記の構成において、前記装置本体は、前記現像装置の前記内部空間への進入をガイドするガイドユニットを備え、前記コネクタハウジングは、前記ガイドユニットに回動可能に軸支されるハウジング軸部を備え、前記コネクタ部は、前記コネクタハウジングと前記ガイドユニットとの間で圧縮変形可能とされ、前記第２グランド端子および前記第２入出力端子が前記第１グランド端子および前記第１入出力端子に近づく方向に、前記コネクタハウジングを前記軸部回りに付勢する第１付勢部材を更に備え、前記現像剤収容容器が前記第１の装着態様または前記第２の装着態様によって前記内部空間に装着される際に、前記第１付勢部材が圧縮変形されることで、前記第２グランド端子および前記第２入出力端子の前記第１グランド端子および前記第１入出力端子に対する当接圧が調整されることが望ましい。
【００１３】
本構成によれば、コネクタ部および記憶部のそれぞれの端子同士が過剰な力で当接することが抑止され、特に、記憶部の基板部側の端子が破損することが防止される。
【００１４】
上記の構成において、前記現像剤収容容器の前記記憶部は、前記基板部を挟むように立設された一対のガイド片を備え、前記コネクタハウジングは、前記開口部が開口され、前記記憶部に対向して配置される対向面と、前記開口部を挟むように前記対向面から立設された一対のガイド部と、を備え、前記一対のガイド部は、前記対向面に沿う方向において前記軸部に近づくに従って先拡がりとなる第１ガイド部と、前記対向面と垂直な方向において前記対向面から離れるに従って先拡がりとなる第２ガイド部と、を備え、前記第１の装着態様において、前記現像剤収容容器が前記内部空間に装着される際に、前記記憶部の前記ガイド片が前記第２ガイド部にガイドされることで、前記基板部が前記対向面に対向して配置され、前記第２の装着態様において、前記現像剤収容容器が前記内部空間に装着される際に、前記記憶部の前記ガイド片が前記第１ガイド部にガイドされることで、前記基板部が前記対向面に対向して配置されることが望ましい。
【００１５】
本構成によれば、現像剤収容容器が第１および第２のいずれの装着態様で装着される場合であっても、コネクタ部と記憶部の基板部とがスムーズに電気的に接続される。
【００１６】
上記の構成において、前記コネクタハウジングは、前記ハウジング軸部の軸方向に所定の距離だけスライド移動可能となるように、前記ガイドユニットに支持されていることが望ましい。
【００１７】
本構成によれば、現像剤収容容器が第２の装着態様で装着される場合に、コネクタ部と記憶部の基板部とがスムーズかつ確実に電気的に接続される。
【００１８】
上記の構成において、前記コネクタ部は、前記開口部から突出した前記第２グランド端子および前記第２入出力端子をそれぞれ露出させる複数の窓部を備え、前記開口部を覆うように配置されるシャッターを更に有することが望ましい。
【００１９】
本構成によれば、シャッターによって、第２グランド端子および第２入出力端子を保護することができる。
【００２０】
上記の構成において、前記シャッターは、前記複数の窓部に隣接して配置され、接地されるアース部を備えることが望ましい。
【００２１】
本構成によれば、アース部によって、第２グランド端子および第２入出力端子を放電などから電気的に保護することができる。
【００２２】
上記の構成において、前記コネクタ部は、前記シャッターが前記開口部から突出するように前記シャッターを付勢する第２付勢ばねを更に有し、前記アース部は、前記第２付勢ばねの一部から構成されることが望ましい。
【００２３】
本構成によれば、第２付勢ばねが、シャッターを付勢する機能と第２グランド端子および第２入出力端子を電気的に保護する機能とを兼ね備えることができる。
【００２４】
上記の構成において、前記記憶部が前記コネクタ部に対向して配置されると、前記シャッターが前記コネクタハウジングおよび前記基板部に挟まれることで、前記第２グラント端子および前記第２入出力端子の前記第１グラント端子および前記第１入出力端子に対する最終的な当接圧が規制されることが望ましい。
【００２５】
本構成によれば、現像剤収容容器がいずれの装着態様で装着された場合であっても、また、現像剤収容容器が装置本体に複数回装着される場合であっても、コネクタ部および記憶部の端子同士の当接圧が安定して維持される。
【発明の効果】
【００２６】
本発明によれば、現像剤収容容器が複数の姿勢で装置本体に対して着脱可能とされる場合であっても、記憶部の接触不良を抑止した画像形成装置が提供される。
【図面の簡単な説明】
【００２７】
【図１】本発明の一実施形態に係る画像形成装置を示す斜視図である。
【図２】本発明の一実施形態に係る画像形成装置の内部断面図である。
【図３】本発明の一実施形態に係る現像ユニットおよびガイドユニットの斜視図である。
【図４Ａ】本発明の一実施形態に係る現像剤収容容器の斜視図である。
【図４Ｂ】本発明の一実施形態に係る現像剤収容容器の斜視図である。
【図５】本発明の一実施形態に係る現像装置の斜視図である。
【図６】本発明の一実施形態に係る現像ユニットの一部の上面図である。
【図７】本発明の一実施形態に係る現像ユニットおよびガイドユニットの断面図である。
【図８】本発明の一実施形態に係る現像ユニットおよびガイドユニットの断面図である。
【図９】本発明の一実施形態に係る現像ユニットおよびガイドユニットの断面図である。
【図１０】本発明の一実施形態に係る現像ユニットおよびガイドユニットの断面図である。
【図１１Ａ】本発明の一実施形態に係る現像剤収容容器の斜視図である。
【図１１Ｂ】本発明の一実施形態に係る現像剤収容容器の斜視図である。
【図１２Ａ】本発明の一実施形態に係る現像装置に現像剤収容容器が装着される様子を示す斜視図である。
【図１２Ｂ】本発明の一実施形態に係る現像装置に現像剤収容容器が装着される様子を示す斜視図である。
【図１２Ｃ】本発明の一実施形態に係る現像装置に現像剤収容容器が装着された様子を示す斜視図である。
【図１３Ａ】本発明の一実施形態に係る現像装置に現像剤収容容器が装着される様子を示す断面図である。
【図１３Ｂ】本発明の一実施形態に係る現像装置に現像剤収容容器が装着された様子を示す断面図である。
【図１４】本発明の一実施形態に係る現像剤収容容器の記憶部の拡大斜視図である。
【図１５】本発明の一実施形態に係る現像ユニットの斜視図である。
【図１６】本発明の一実施形態に係るガイドユニットの斜視図である。
【図１７Ａ】本発明の一実施形態に係るコネクタ部の斜視図である。
【図１７Ｂ】本発明の一実施形態に係るコネクタ部の斜視図である。
【図１８Ａ】本発明の一実施形態に係るコネクタ部からシャッターが取り除かれた状態の斜視図である。
【図１８Ｂ】本発明の一実施形態に係るコネクタ部からシャッターが取り除かれた状態の斜視図である。
【図１９Ａ】本発明の一実施形態に係るコネクタ部のシャッターおよび端子ユニットの斜視図である。
【図１９Ｂ】本発明の一実施形態に係るコネクタ部のシャッターおよび端子ユニットの斜視図である。
【図２０Ａ】本発明の一実施形態に係るコネクタ部の端子ユニットの斜視図である。
【図２０Ｂ】本発明の一実施形態に係るコネクタ部の端子ユニットの斜視図である。
【図２１Ａ】本発明の一実施形態に係るコネクタ部および第１付勢部材の斜視図である。
【図２１Ｂ】本発明の一実施形態に係るコネクタ部の第１付勢部材および第２付勢部材の位置関係を示す斜視図である。
【図２２Ａ】本発明の一実施形態に係るコネクタ部からシャッターが取り除かれた状態の平面図である。
【図２２Ｂ】図２２Ａのコネクタ部の断面図である。
【図２２Ｃ】図２２Ａのコネクタ部の断面図である。
【図２３Ａ】本発明の一実施形態に係るコネクタ部の平面図である。
【図２３Ｂ】図２３Ａのコネクタ部の断面図である。
【図２３Ｃ】図２３Ａのコネクタ部の断面図である。
【図２４Ａ】本発明の一実施形態に係るコネクタ部の断面図である。
【図２４Ｂ】本発明の一実施形態に係るコネクタ部の断面図である。
【図２５Ａ】本発明の一実施形態に係るコネクタ部に基板部が収容された状態の斜視図である。
【図２５Ｂ】図２５Ａのコネクタ部の断面図である。
【図２６Ａ】本発明の一実施形態に係るガイドユニットの断面図である。
【図２６Ｂ】図２６Ａのガイドユニットの一部を拡大した断面図である。
【発明を実施するための形態】
【００２８】
以下、図面を参照しつつ、本発明の一実施形態について説明する。図１は、本実施形態に係るプリンター１００（画像形成装置）の斜視図である。図２は、プリンター１００の内部構造を概略的に示す断面図である。図１および図２に示されるプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００２９】
プリンター１００は、シートＳに画像を形成するための様々な装置を収容する筐体１０１（装置本体）を備える。筐体１０１は、筐体１０１の上面を規定する上壁１０２と、筐体１０１の底面を規定する底壁１０３と、上壁１０２と底壁１０３との間の本体後壁１０５と、本体後壁１０５の前方に位置する本体前壁１０４と、を含む。筐体１０１は、各種の装置が配置される本体内部空間１０７（内部空間）を備える。筐体１０１の本体内部空間１０７には、シートＳが所定の搬送方向に搬送されるシート搬送路ＰＰが延設されている。また、筐体１０１は、一対の左壁１０１Ｌおよび右壁１０１Ｒを備える（図１）。左壁１０１Ｌおよび右壁１０１Ｒは、筐体１０１の左右の側面を形成する壁部である。
【００３０】
上壁１０２の中央部には、排紙部１０２Ａが配置される。排紙部１０２Ａは、上壁１０２の前方部分から後方部分にかけて、下方に傾斜した傾斜面からなる。排紙部１０２Ａには、後記の画像形成部１２０において、画像が形成されたシートＳが排出される。また、本体前壁１０４には、前カバー１０６（カバー部材）と、手差しトレイ１０４Ａとが配置される。前カバー１０６および手差トレイ１０４Ａは、それぞれ下端側を支点として、上下に開閉可能である（図２の矢印ＤＴ）。手差しトレイ１０４Ａは、前カバー１０６に対して回動可能とされている。手差しトレイ１０４Ａは、上記支点となるトレイ支点部１０４Ｂを備える。なお、図１では、手差しトレイ１０４Ａを含む前カバー１０６が、筐体１０１に対して開放された状態を示している。前カバー１０６および手差しトレイ１０４Ａは、筐体１０１に対する閉状態において、本体前壁１０４の一部を構成する。
【００３１】
一方、上壁１０２の前端部１０２Ｂは、アーム１０８を支点として後方に回動可能とされている（図１）。図１に示すように、上壁１０２の前端部１０２Ｂおよび前カバー１０６がそれぞれ開放されると、本体内部空間１０７がプリンター１００の外側に露出する。この結果、後記の現像ユニット１２０Ｈやトナーコンテナ３０が筐体１０１の内部に装着可能とされる。また、シート搬送路ＰＰにおいてシートＳが詰まった場合には、シートＳが除去可能とされる。
【００３２】
図２を参照して、プリンター１００は、カセット１１０と、ピックアップローラー１１２と、第１給紙ローラー１１３と、第２給紙ローラー１１４と、搬送ローラー１１５と、レジストローラー対１１６と、画像形成部１２０と、定着装置１３０とを備える。
【００３３】
カセット１１０は、内部にシートＳを収容する。カセット１１０は、リフト板１１１を備える。リフト板１１１は、シートＳの先頭縁を押し上げるように傾斜する。カセット１１０は、筐体１０１に対して、前方に引き出し可能とされる。
【００３４】
ピックアップローラー１１２は、リフト板１１１によって押し上げられたシートＳの先頭縁上に配置される。ピックアップローラー１１２が回転すると、シートＳはカセット１１０から引き出される。
【００３５】
第１給紙ローラー１１３は、ピックアップローラー１１２の下流に配設され、シートＳを更に下流に送り出す。第２給紙ローラー１１４は、手差しトレイ１０４Ａの支点の内側（後側）に配設され、手差トレイ１０４Ａ上のシートＳを筐体１０１内に引き込む。
【００３６】
搬送ローラー１１５は、第１給紙ローラー１１３、第２給紙ローラー１１４のシート搬送方向（以下、単に搬送方向ともいう）の下流（以下、単に下流ともいう）に配設される。搬送ローラー１１５は、第１給紙ローラー１１３、第２給紙ローラー１１４によって送り出されたシートＳを更に下流へ搬送する。
【００３７】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３８】
画像形成部１２０は、感光体ドラム１２１（像担持体）と、帯電器１２２と、露光装置１２３と、現像装置２０と、トナーコンテナ３０（現像剤収容容器）と、転写ローラー１２６と、クリーニング装置１２７とを備える。なお、後記のとおり、現像装置２０およびトナーコンテナ３０は、現像ユニット１２０Ｈとして、筐体１０１に対して一体的に着脱可能とされる。
【００３９】
感光体ドラム１２１は、円筒形状を有し、筐体１０１に回転可能に支持されている。感光体ドラム１２１は、静電潜像が形成される周面を有するとともに、前記周面に該静電潜像に応じたトナー画像（現像剤像）を担持する。帯電器１２２は、所定の電圧が印加され、感光体ドラム１２１の周面を略一様に帯電させる。
【００４０】
露光装置１２３は、帯電器１２２によって帯電された感光体ドラム１２１の周面に、レーザー光を照射する。該レーザー光は、プリンター１００に通信可能に接続されたパーソナルコンピュータなどの外部装置（図示せず）から出力された画像データに従って、照射される。この結果、感光体ドラム１２１の周面には、画像データに対応する静電潜像が形成される。なお、露光装置１２３は、支持フレーム１００Ｈ（図２）によって支持されている。支持フレーム１００Ｈは、筐体１０１の内部に配置されたフレームである。支持フレーム１００Ｈは、後方に向かって先下がりの排紙部１０２Ａに沿うように配置されている。なお、支持フレーム１００Ｈの前端部には、フレーム前壁１００Ｈ１が立設されている。フレーム前壁１００Ｈ１は、排紙部１０２Ａの直下において鉛直方向に延びる壁部である。フレーム前壁１００Ｈ１は、トナーコンテナ３０に対向して配置される（図２）。
【００４１】
現像装置２０は、静電潜像が形成された感光体ドラム１２１の周面にトナーを供給する。トナーコンテナ３０は、内部にトナーを収容し、現像装置２０へトナーを補給する。トナーコンテナ３０は、現像装置２０に対して着脱可能に配設されている。現像装置２０がトナーを感光体ドラム１２１に供給すると、感光体ドラム１２１の周面に形成された静電潜像が現像（可視化）される。この結果、感光体ドラム１２１の周面に、トナー画像（現像剤像）が形成される。
【００４２】
転写ローラー１２６は、感光体ドラム１２１の下方においてシート搬送路ＰＰを挟んで感光体ドラム１２１に対向して配置される。転写ローラー１２６は、感光体ドラム１２１との間で転写ニップ部を形成し、トナー画像をシートＳに転写させる。
【００４３】
クリーニング装置１２７は、シートＳへトナー画像が転写された後に、感光体ドラム１２１の周面に残るトナーを除去する。
【００４４】
定着装置１３０は、画像形成部１２０よりも搬送方向下流側に配置され、シートＳ上のトナー画像を定着させる。定着装置１３０は、シートＳ上のトナーを溶融させる加熱ローラー１３１と、シートＳを加熱ローラー１３１に密着させる圧力ローラー１３２と、を備える。
【００４５】
プリンター１００は、定着装置１３０の下流に配設された搬送ローラー対１３３と、搬送ローラー対１３３の下流に配設された排出ローラー対１３４と、を更に備える。シートＳは、搬送ローラー対１３３によって上方に搬送され、最終的に、排出ローラー対１３４によって、筐体１０１から排出される。筐体１０１から排出されたシートＳは、排紙部１０２Ａ上に積み重ねられる。
【００４６】
＜現像ユニットの構造について＞
次に、図３乃至図１０を参照して、本実施形態に係る現像ユニット１２０Ｈ（現像装置２０およびトナーコンテナ３０）について詳述する。図３は、本実施形態に係る現像ユニット１２０Ｈおよび後記の本体ユニット１５０（筐体１０１の一部）の斜視図である。図４Ａおよび図４Ｂは、本実施形態に係るトナーコンテナ３０の斜視図である。図５は、本実施形態に係る現像装置２０の斜視図である。図６は、現像ユニット１２０Ｈの一部の上面図である。図７乃至図１０は、現像ユニット１２０Ｈおよび本体ユニット１５０の断面図である。なお、図７および図８の各断面図は、図６のＸ−Ｘ線における断面図に相当し、図９および図１０の各断面図は、図６のＹ−Ｙ線における断面図に相当する。
【００４７】
前述のように、現像ユニット１２０Ｈ（図３）は、現像装置２０と、トナーコンテナ３０とを含む。現像ユニット１２０Ｈは、筐体１０１に対して、所定の着脱方向に沿って着脱可能とされる。この結果、トナーコンテナ３０は、現像装置２０と一体的に筐体１０１に装着されることが可能である。なお、先に、現像装置２０が筐体１０１に装着されている場合には、トナーコンテナ３０は、筐体１０１内の現像装置２０に単独でも装着される。図２および図３の矢印ＤＡは、筐体１０１に対する現像ユニット１２０Ｈの装着方向を示している。
【００４８】
更に、プリンター１００は、本体ユニット１５０（ガイドユニット）を備える（図３、図７）。本体ユニット１５０は、筐体１０１に配置され、現像ユニット１２０Ｈ（現像装置２０）の本体内部空間１０７への進入および着脱をガイドする。図１に示すように、前カバー１０６が筐体１０１に対して開放されると、本体ユニット１５０が筐体１０１の外部に露出する。現像ユニット１２０Ｈは、本体ユニット１５０の上方を通過するように、筐体１０１の本体内部空間１０７に装着される。図３に現れているように、本体ユニット１５０は、側面視で略三角形状からなり、左右方向に長く延びたユニットである。本体ユニット１５０は、位置決め機構１５０Ｓ（図９）と、被係合部１５３（図３、図７）と、ガイド面１５４と、を備える。
【００４９】
位置決め機構１５０Ｓは、本体ユニット１５０の左右方向の両端部に一対配置されている。位置決め機構１５０Ｓは、付勢突起１５１と、ユニット付勢ばね１５２と、を備える。付勢突起１５１は、筐体１０１に装着された現像ユニット１２０Ｈのハウジング被押圧部２００Ｋ（図９）に当接する。ユニット付勢ばね１５２は、付勢突起１５１を後方に向かって付勢している。換言すれば、ユニット付勢ばね１５２を含む位置決め機構１５０Ｓは、筐体１０１内の現像位置に装着された現像ユニット１２０Ｈを後方に向かって付勢し、現像ユニット１２０Ｈの位置決めを行う。
【００５０】
ガイド面１５４（図７）は、本体ユニット１５０の上面部に形成されている。ガイド面１５４は、現像ユニット１２０Ｈの装着をガイドする機能を備えている。ガイド面１５４は、前方から後方に向かって先下がりの傾斜面を備える。また、ガイド面１５４のうち当該傾斜面の更に後端側は、水平面とされている。被係合部１５３は、ガイド面１５４よりも現像ユニット１２０Ｈの装着方向（図３の矢印ＤＡ方向）先端側に配置されている。被係合部１５３には、後記のロックレバー５０のフック５０６（図７）が係合可能とされる。
【００５１】
図４Ａを参照して、トナーコンテナ３０は、内部にトナー（現像剤）を収容する。トナーコンテナ３０は、コンテナ本体３１（容器本体）と、コンテナカバー３１Ｃとを備える。コンテナ本体３１は、左右方向（長手方向）に延びる形状を備えている。コンテナ本体３１は、本体部３１Ａと、蓋部３１Ｂとを備える。本体部３１Ａは、コンテナ本体３１の下方部分を画定する。なお、本体部３１Ａの上面部は開口されている。
【００５２】
蓋部３１Ｂは、本体部３１Ａの開口部を塞ぐように、本体部３１Ａに固定される。本実施形態では、蓋部３１Ｂは本体部３１Ａに溶着固定される。この際、本体部３１Ａの開口部の周縁に沿って形成されたコンテナフランジ３１Ｆにおいて、本体部３１Ａと蓋部３１Ｂとが固定される。蓋部３１Ｂは、第１把持部３１Ｄと、第２把持部３１Ｅ（図３）とを備える。トナーコンテナ３０が現像装置２０に装着される際、または、トナーコンテナ３０および現像装置２０を含む現像ユニット１２０Ｈが筐体１０１に装着される際に、作業者は、第１把持部３１Ｄおよび第２把持部３１Ｅを把持することができる。
【００５３】
コンテナカバー３１Ｃは、コンテナ本体３１の右側部に装着される。コンテナカバー３１Ｃは、右ガイド３１１と、伝達ギア３１０と、ロック係合部３１２と、を備える。また、コンテナ本体３１の本体部３１Ａは左ガイド３０１を備える。右ガイド３１１は、コンテナカバー３１Ｃから突設された略直方体形状のガイドである。左ガイド３０１は、トナーコンテナ３０の左側の側部に、右ガイド３１１と同じ形状をもって備えられている（図４Ｂ）。これらのガイドは、トナーコンテナ３０の現像装置２０への装着をガイドする。伝達ギア３１０は、後記のコンテナパドル３０Ｋに回転駆動力を伝達するギアである。ロック係合部３１２は、コンテナカバー３１Ｃの右側面において、右ガイド３１１に対して間隔をおいて、コンテナカバー３１Ｃから突設された突起である。左右方向と交差する断面視において、ロック係合部３１２は、略台形形状を備えている。ロック係合部３１２は、ロック当接片２０２Ｓ（図５）に係合可能とされる。
【００５４】
更に、トナーコンテナ３０は、コンテナスクリュー３３と、コンテナパドル３０Ｋとを備える（図９）。
【００５５】
コンテナスクリュー３３は、本体部３１Ａの底部に沿って配置されたスクリューである。本体部３１Ａの底部には、後記のトナー排出口３０Ｐ（図１１Ｂ）が開口されている。コンテナスクリュー３３は、回転され、コンテナ本体３１内のトナーをトナー排出口３０Ｐに向かって搬送する。コンテナ本体３１に備えられた後記のコンテナシャッター３２（図１１Ａ）がスライド移動されるとトナー排出口３０Ｐが開放され、トナーコンテナ３０からトナーが排出可能とされる。コンテナパドル３０Ｋは、トナーコンテナ３０の内部において、回転可能に支持され、トナーコンテナ３０内に収容されたトナーを攪拌する。
【００５６】
現像装置２０は、現像ハウジング２００（図３）と、現像ローラー２１Ａ（図３、図９）と、当接ローラー２１１（図３）と、第１スクリュー２１２（図９）と、第２スクリュー２１３（図９）と、層厚規制部材２１４（図９）と、現像ローラーカバー２１５と、を備える。
【００５７】
現像ハウジング２００は、現像装置２０の各部材を支持するハウジングである。また、現像ハウジング２００は、トナーコンテナ３０を支持する機能を備えている。図５を参照して、現像ハウジング２００は、ハウジング左壁２００Ｌと、ハウジング右壁２００Ｒと、トナー補給口２０４（現像剤補給口）と、を備える。ハウジング左壁２００Ｌおよびハウジング右壁２００Ｒは、現像ハウジング２００の左右方向の両端部から立設された壁部である。ハウジング左壁２００Ｌとハウジング右壁２００Ｒとの間に、トナーコンテナ３０が装着される。
【００５８】
ハウジング右壁２００Ｒは、右ガイド溝２０１Ｒと、ロック当接片２０２Ｓと、ロックボタン２０２と、を備える。ハウジング左壁２００Ｌは、左ガイド溝２０１Ｌを備える。右ガイド溝２０１Ｒおよび左ガイド溝２０１Ｌは、それぞれ、ハウジング右壁２００Ｒおよびハウジング左壁２００Ｌに形成されたガイド溝である。これらのガイド溝は、現像ハウジング２００に対するトナーコンテナ３０の装着方向（図５の矢印ＤＣ１）に沿って形成されている。トナーコンテナ３０の前述の右ガイド３１１（図４Ａ）が、右ガイド溝２０１Ｒに進入する。また、トナーコンテナ３０の左側面に備えられた左ガイド３０１（図４Ｂ）が、左ガイド溝２０１Ｌに進入される。なお、トナーコンテナ３０は、現像ハウジング２００の上方に挿入された後、図５の矢印ＤＣ２方向に回動される。この結果、トナーコンテナ３０のトナー排出口３０Ｐがトナー補給口２０４に対向し、トナーコンテナ３０から現像装置２０にトナー（現像剤）の補給が可能となる。なお、左ガイド溝２０１Ｌおよび右ガイド溝２０１Ｒの奥側は、左ガイド３０１および右ガイド３１１の回転を許容するように、扇形形状を備えている（図５）。現像装置２０の現像ハウジング２００に対するトナーコンテナ３０の装着構造については、後記で更に詳述する。
【００５９】
ロック当接片２０２Ｓは、ロック係合部３１２（図４Ａ）と係合することで、矢印ＤＣ２方向に回動されたトナーコンテナ３０をロックする。また、ロックボタン２０２が押圧されると、ロック当接片２０２Ｓとロック係合部３１２との係合が解除され、トナーコンテナ３０のロックが解除される。この結果、トナーコンテナ３０が図５の矢印ＤＣ２方向とは反対の方向に回動される。この結果、トナーコンテナ３０が矢印ＤＣ１とは反対の方向に現像装置２０から脱離可能とされる。
【００６０】
現像ローラー２１Ａは、現像ハウジング２００に回転可能に支持されている。現像ローラー２１Ａは、周面にトナーを含む現像剤を担持する。現像ローラー２１Ａは、感光体ドラム１２１にトナーを供給し、感光体ドラム１２１上の静電潜像を現像する。当接ローラー２１１は、現像ローラー２１Ａの軸方向の両端部に一対配置される。当接ローラー２１１は感光体ドラム１２１の周面に当接することで、現像ローラー２１Ａと感光体ドラム１２１との間の間隔を一定に保持する。第１スクリュー２１２および第２スクリュー２１３は、現像ハウジング２００内において、回転可能に支持されたスクリューである。現像ハウジング２００内の現像剤は、第１スクリュー２１２および第２スクリュー２１３によって循環搬送される。また、現像剤は、第１スクリュー２１２によって現像ローラー２１Ａに供給される。層厚規制部材２１４は、現像ローラー２１Ａ上に供給された現像剤の層厚を規制する。現像ローラーカバー２１５は、現像ハウジング２００に対して揺動可能とされている。図３は、現像ローラーカバー２１５が現像ローラー２１Ａの上方に退避された状態を示している。図３に示される状態から現像ローラーカバー２１５が下方に揺動されると、現像ローラーカバー２１５は現像ローラー２１Ａを覆うことができる。したがって、現像ユニット１２０Ｈが筐体１０１から脱離された際に、現像ローラー２１Ａに異物が付着することや、現像ローラー２１Ａ上のトナーによって周囲が汚れることが抑止される。
【００６１】
更に、現像装置２０は、ロックレバー５０を備える（図３、図５）。ロックレバー５０は、現像装置２０のハウジング左壁２００Ｌに揺動可能に備えられている。ロックレバー５０は、筐体１０１内において現像ユニット１２０Ｈ（現像装置２０）を後記の現像位置にロックするロック姿勢と、現像ユニット１２０Ｈのロックを解除するとともに、現像ユニット１２０Ｈが所定の着脱方向に沿って筐体１０１から脱離されることを許容する解除姿勢との間で姿勢変更が可能とされる。
【００６２】
図３、図５および図７を参照して、ロックレバー５０は、レバー本体５０１と、レバー被押圧部５０２と、当接部５０３と、ガイド溝５０４と、支点部５０５と、フック５０６と、を備える。
【００６３】
レバー本体５０１は、ロックレバー５０の本体部分であり、図７に示すように、前方かつ上方から後方かつ下方に向かって斜めに延びるように配置されている。レバー被押圧部５０２は、レバー本体５０１の上端部に備えられた平坦部である。レバー被押圧部５０２は、現像ユニット１２０Ｈが筐体１０１から脱離される前に、作業者によって押圧される。当接部５０３は、ロックレバー５０の前後方向の略中央部において、下方に向かって突出した円弧形状を備えている。なお、現像ユニット１２０Ｈが筐体１０１内に装着されると、図３および図７に示すように、当接部５０３は本体ユニット１５０のガイド面１５４に対向して配置される。ガイド溝５０４は、当接部５０３の後方に開口された溝部である。ガイド溝５０４は、支点部５０５を中心とした円弧形状を形成するように開口されている。なお、ガイド溝５０４の後側には、レバー側係止部５０４Ｓが備えられている。レバー側係止部５０４Ｓは、ロックレバー５０から突設されたフック形状を備えている。レバー側係止部５０４Ｓには、後記のレバー付勢ばね５２の一端が係止される。
【００６４】
支点部５０５は、ロックレバー５０の後端側に配置されている。支点部５０５は、現像ハウジング２００のハウジング左壁２００Ｌに回転可能に支持されている。支点部５０５は、ロックレバー５０の揺動における支点となる。なお、前述の当接部５０３は、支点部５０５とレバー被押圧部５０２との間に配置されている（図７）。フック５０６は、支点部５０５に対して、レバー被押圧部５０２とは反対側に配置されている。フック５０６は、本体ユニット１５０の被係合部１５３（図７）と係合可能とされている。図７に示すように、フック５０６は、支点部５０５から下方に向かって延びるとともに、その先端部が前方（現像ユニット１２０Ｈの装着方向後端側）に屈曲されている。
【００６５】
更に、現像装置２０は、ガイドスクリュー５１と、レバー付勢ばね５２とを備える（図７）。ガイドスクリュー５１は、ガイド溝５０４に挿通され、ハウジング左壁２００Ｌに締結されたスクリューである。ガイドスクリュー５１は、ガイド溝５０４に沿って、ロックレバー５０の揺動をガイドする機能を備えている。
【００６６】
レバー付勢ばね５２は、現像ハウジング２００のハウジング左壁２００Ｌとロックレバー５０との間で伸縮するばね部材である。前述のハウジング左壁２００Ｌは、ハウジング側係止部２００Ｌ２を備える。図７に示すように、レバー付勢ばね５２の一端はレバー付勢ばね５２のレバー側係止部５０４Ｓに係止され、レバー付勢ばね５２の他端はハウジング側係止部２００Ｌ２に係止されている。この結果、レバー付勢ばね５２は、フック５０６が被係合部１５３に係合する（図７）ように、ロックレバー５０を支点部５０５回りに付勢する。
【００６７】
＜現像ユニットの着脱について＞
次に、現像ユニット１２０Ｈの筐体１０１に対する着脱について説明する。なお、前述のとおり、現像ユニット１２０Ｈは、現像装置２０およびトナーコンテナ３０から構成される。そして、トナーコンテナ３０は、現像装置２０に対して着脱可能である。また、現像ユニット１２０Ｈは、トナーコンテナ３０を備えることなく、現像装置２０のみでも筐体１０１に装着可能とされている。ここでは、トナーコンテナ３０を含む現像ユニット１２０Ｈが、筐体１０１に対して着脱される様子を説明する。
【００６８】
図１に示すように、筐体１０１の前カバー１０６および上壁１０２の前端部１０２Ｂが開放されると、筐体１０１の本体内部空間１０７に現像ユニット１２０Ｈが装着される。この際、現像ユニット１２０Ｈは、図２、図３の矢印ＤＡ方向に沿って、本体内部空間１０７に挿入される。本体ユニット１５０（図３）は、現像ユニット１２０Ｈの下部を案内する。現像ユニット１２０Ｈの装着に伴って、ロックレバー５０のフック５０６は、ガイド面１５４上を滑りながら、後方に進行する。やがて、フック５０６の傾斜面５０６Ｓ（図７）が被係合部１５３の傾斜面１５３Ｓと摺擦する。この際、図７において、フック５０６が支点部５０５回りに僅かに時計回りに回動することで、現像ユニット１２０が下方に移動しながら、フック５０６の先端部が被係合部１５３の下方に進入する。この結果、フック５０６が被係合部１５３と係合し、現像ユニット１２０Ｈが、図７に示す現像位置にロックされる。現像位置では、現像装置２０の現像ローラー２１Ａが感光体ドラム１２１に所定の間隔をおいて対向配置される。図７におけるロックレバー５０の姿勢がロックレバー５０のロック姿勢と定義される。この際、図９に示すように、現像ハウジング２００のハウジング被押圧部２００Ｋが、位置決め機構１５０Ｓの付勢突起１５１によって後方に向かって押圧される。すなわち、位置決め機構１５０Ｓは、現像ローラー２１Ａが感光体ドラム１２１に近づく方向に向かって、現像ユニット１２０Ｈを付勢する。そして、筐体１０１内において現像ユニット１２０Ｈが図７および図９の現像位置に位置決めされると、当接ローラー２１１（図３）が感光体ドラム１２１の周面に当接することで、現像ローラー２１Ａが感光体ドラム１２１に対して所定の間隔をおいて配置される。この結果、現像ローラー２１Ａから感光体ドラム１２１に安定してトナーが供給され、感光体ドラム１２１上にトナー像が形成される。
【００６９】
筐体１０１から現像ユニット１２０Ｈが取り外される際には、図１に示すように、筐体１０１の前カバー１０６および上壁１０２の前端部１０２Ｂが開放されると、ロックレバー５０のレバー被押圧部５０２がプリンター１００の外側に露出する。作業者は、まずレバー被押圧部５０２を下方に押圧する（図７の矢印ＤＲ１）。この結果、ロックレバー５０がレバー付勢ばね５２の付勢力に抗して支点部５０５回りに揺動し、ロックレバー５０が図８に示す解除姿勢とされる。この際、フック５０６と被係合部１５３との係合が解除される。また、レバー被押圧部５０２が更に押圧されると、図８に示すように、ロックレバー５０の当接部５０３がガイド面１５４に当接する。そして、この当接部５０３を支点として、支点部５０５が加重点とされながら、現像ユニット１２０Ｈが図７に示される現像位置よりも上方の待機位置に押し上げられる（図１の矢印、図８の矢印ＤＲ２）。この結果、図１０に示されるように、ハウジング被押圧部２００Ｋが付勢突起１５１の斜面に乗り上げ、位置決め機構１５０Ｓによる現像ユニット１２０Ｈの位置決めが解除される。この際、位置決め機構１５０Ｓ（ユニット付勢ばね１５２）の付勢力が現像ハウジング２００に強く付与されていない。したがって、現像ユニット１２０Ｈが前述の着脱方向に沿って筐体１０１から容易に脱離可能とされる（図１０の矢印ＤＲ３）。
【００７０】
なお、図８に示されるように、現像ユニット１２０Ｈが矢印ＤＲ２方向に押し上げられた後、現像ユニット１２０Ｈの自重によってフック５０６が被係合部１５３の上方のガイド面１５４（前述の水平面）に当接することで、現像ユニット１２０Ｈが前記待機位置に保持される。このため、作業者がロックレバー５０から手を離した場合であっても、フック５０６が被係合部１５３に再係合することが抑止される。このため、作業者が容易かつ確実に現像ユニット１２０Ｈを取り外すことができる。
【００７１】
なお、他の実施形態において、現像ユニット１２０Ｈが待機位置に押し上げられた際、フック５０６の傾斜面５０６Ｓ（図７）が被係合部１５３の傾斜面１５３Ｓに当接していてもよい。この場合も、現像ユニット１２０Ｈの引き出し動作（図１０の矢印ＤＲ３）に伴って、ロックレバー５０が支点部５０５回りに回動することができるため、上記と同様に、フック５０６が被係合部１５３に再び係合することが抑止される。
【００７２】
＜トナーコンテナおよび現像装置の構造について＞
次に、本実施形態に係るトナーコンテナ３０および現像装置２０の構造について、更に詳述する。図１１Ａおよび図１１Ｂは、トナーコンテナ３０の拡大斜視図である。なお、図１１Ａは、後記のトナー排出口３０Ｐがコンテナシャッター３２によって閉止された状態を示しており、図１１Ｂは、トナー排出口３０Ｐが開放された状態を示している。図１２Ａおよび図１２Ｂは、現像装置２０にトナーコンテナ３０が装着される様子を示す斜視図である。図１２Ｃは、現像装置２０にトナーコンテナ３０が装着された様子を示す斜視図である。図１３Ａおよび１３Ｂは、現像装置２０にトナーコンテナ３０が装着される様子を示す断面図である。
【００７３】
トナーコンテナ３０は、一の方向に延びる長手形状を備えている。なお、トナーコンテナ３０が筐体１０１内の現像装置２０に装着される際には、トナーコンテナ３０の長手方向が左右方向に沿うように配置される。トナーコンテナ３０は、前述のコンテナ本体３１に加え、コンテナシャッター３２（図４Ｂ、図１１Ａ）と、トナー排出口３０Ｐ（図１１Ｂ）（現像剤排出口）と、パドル軸受部３０２（図１２Ｂ参照）と、コンテナシャッター押圧部３０５（図１１Ｂ）と、弾性片押圧部３０６（図１１Ｂ）と、ガイドリブ３０７（図１１Ａ）と、伝達ギア３１０（図４Ａ、図１１Ａ）と、を備える。
【００７４】
トナー排出口３０Ｐ（図１１Ｂ）は、本体部３１Ａの下面の右端側に開口された開口部である。トナーコンテナ３０の内部に収容されたトナーは、トナー排出口３０Ｐから排出され、現像装置２０に供給される。
【００７５】
前述の左ガイド３０１は、本体部３１Ａの左側面において、所定の方向に延びるように長手形状をもって形成された突起であり、トナーコンテナ３０の現像装置２０に対する装着方向（図１２Ａの矢印ＤＡ方向）を規制する。なお、左ガイド３０１の内部は空洞とされている。パドル軸受部３０２（図１２Ｂ）は、左ガイド３０１の内部に配置された軸受部である。パドル軸受部３０２は、コンテナパドル３０Ｋを回転可能に軸支する。なお、右ガイド３１１の内部にも、左ガイド３０１側のパドル軸受部３０２（図１２Ｂ）と同様の軸受部が配置されており、伝達ギア３１０に隣接してコンテナパドル３０Ｋの軸部を軸支している。
【００７６】
コンテナシャッター押圧部３０５（図１１Ｂ）は、トナーコンテナ３０の長手方向（左右方向）において、トナー排出口３０Ｐが形成された排出突起部３４を挟むように突設された一対のリブである。なお、コンテナシャッター押圧部３０５はトナー排出口３０Ｐよりも、装着時におけるトナーコンテナ３０の回転方向（第１回転方向、図１１Ａの矢印ＤＭ）下流側に配置されている。一対のコンテナシャッター押圧部３０５は、それぞれ前記回転方向に沿って延びるとともに、先端部がトナーコンテナ３０の長手方向に沿うように（左右方向にそれぞれ広がるように）屈曲された形状を備えている。コンテナシャッター押圧部３０５は、後記の本体シャッター２２を押圧するとともに、本体シャッター２２によって押圧される機能を備えている。
【００７７】
弾性片押圧部３０６（図１１Ｂ）は、コンテナシャッター押圧部３０５に隣接して、本体部３１Ａから突設された一対の突片である。一対の弾性片押圧部３０６は、左右方向において一対のコンテナシャッター押圧部３０５を挟むように配置されている。弾性片押圧部３０６は、前述のトナーコンテナ３０の回転方向に沿って延びるように配置され、トナー排出口３０Ｐから離れるに従って突出高さが高くなるような傾斜形状を備えている。弾性片押圧部３０６は、後記のシャッターストッパー３２Ｂの弾性片に対向し、弾性片を押圧する機能を備えている。
【００７８】
ガイドリブ３０７（図１１Ａ）は、本体部３１Ａから突設され、コンテナシャッター押圧部３０５に連結された円弧状の一対のリブ部材である。ガイドリブ３０７は、コンテナ本体３１の回転方向に沿って延びるように形成されている。一対のガイドリブ３０７は、トナー排出口３０Ｐを左右方向において挟むように配置されている。なお、一対のガイドリブ３０７の外周部は、それぞれ左右方向に屈曲されており、所定の幅を備えている。ガイドリブ３０７は、後記のコンテナシャッター３２を所定の軸心回りにスライド移動可能にガイドする。
【００７９】
伝達ギア３１０（図４Ａ、図１１Ａ）は、トナーコンテナ３０の右側の側面に回転可能に支持された回転ギアである。伝達ギア３１０は、コンテナパドル３０Ｋに回転駆動力を伝達する機能を備えている。トナーコンテナ３０が現像装置２０に装着されると、現像装置２０の不図示のギア群が伝達ギア３１０に連結され、伝達ギア３１０に回転駆動力が入力される。
【００８０】
コンテナシャッター３２（図１１Ａ）は、トナー排出口３０Ｐに対してスライド移動可能にコンテナ本体３１に支持され、トナー排出口３０Ｐを封止または開放する（図１１Ａ、図１１Ｂ）。この際、コンテナシャッター３２は、現像装置２０への装着時のコンテナ本体３１の回転方向に沿って、スライド移動する。コンテナシャッター３２は、シャッター本体３２Ａと、シャッターストッパー３２Ｂとを備える。シャッターストッパー３２Ｂは、シャッター本体３２Ａに揺動可能に支持される。
【００８１】
シャッター本体３２Ａは、コンテナ本体３１の周面に沿うような曲面を備えた、略矩形形状の部材である。シャッター本体３２Ａは、トナー排出口３０Ｐを封止する。シャッターストッパー３２Ｂは、シャッター本体３２Ａのうち、トナー排出口３０Ｐを封止する面とは反対側の面に装着される。シャッターストッパー３２Ｂは、コンテナシャッター３２のスライド移動を規制または許容する機能を備えている。
【００８２】
図１２Ａおよび図１２Ｂを参照して、現像装置２０は、ハウジング右壁２００Ｒとハウジング左壁２００Ｌとの間に、コンテナ装着部２０Ｈ（装着部）を備える。コンテナ装着部２０Ｈには、トナーコンテナ３０が装着される。
【００８３】
更に、現像ハウジング２００は、ストッパー押圧部２０６（図１２Ｂ）と、コンテナシャッター固定部２０７と、シャッタースプリング２０８（図５）と、を備える。
【００８４】
ストッパー押圧部２０６（図１２Ｂ）は、トナー補給口２０４の後方に隣接して、現像ハウジング２００の天板から突設された突起部である。ストッパー押圧部２０６は、トナーコンテナ３０がコンテナ装着部２０Ｈに装着された際に、トナーコンテナ３０のコンテナシャッター３２のストッパー解除片３２Ｂ２（図４Ｂ）を押圧する機能を備えている。換言すれば、ストッパー押圧部２０６は、コンテナシャッター３２のスライド移動を許容する。
【００８５】
コンテナシャッター固定部２０７（図１２Ｂ）は、左右方向において、ストッパー押圧部２０６を挟むように現像ハウジング２００の天板から突設された突起部である。左右方向と交差する断面視において、コンテナシャッター固定部２０７は略台形形状を備えている。また、コンテナシャッター固定部２０７のうち、前側の側面には、楔形状の切欠き部が形成されている。トナーコンテナ３０がコンテナ装着部２０Ｈに装着された際に、当該切欠き部には、トナーコンテナ３０のコンテナシャッター３２のシャッター係合片３２Ａ８（図４Ｂ）が係合する。この結果、コンテナシャッター固定部２０７は、コンテナシャッター３２を固定し、コンテナシャッター３２の移動（回動）を規制する。
【００８６】
シャッタースプリング２０８（図５）は、一対のコンテナシャッター固定部２０７の左右方向の外側に配置された一対のばね部材である。シャッタースプリング２０８は、前後方向に延びるように配置されている。シャッタースプリング２０８の一端は、現像ハウジング２００の天板に係止されている。また、シャッタースプリング２０８の他端は、後記の本体シャッター２２（図５）に係止されている。
【００８７】
更に、現像装置２０は、本体シャッター２２（図５）を備える。本体シャッター２２は、トナー補給口２０４に対してスライド移動可能に現像ハウジング２００に支持されている。本体シャッター２２は、トナー補給口２０４を封止または開放する。
【００８８】
前述のシャッタースプリング２０８は、本体シャッター２２がトナー補給口２０４（図５）を封止する方向に、本体シャッター２２を付勢している。したがって、図１２Ａに示すように、トナーコンテナ３０が現像装置２０から取り外された状態において、本体シャッター２２はシャッタースプリング２０８の付勢力を受けてトナー補給口２０４を封止する。
【００８９】
＜現像装置に対するトナーコンテナの着脱について＞
次に、現像装置２０に対するトナーコンテナ３０の装着について説明する。前述のように、本実施形態では、現像装置２０が先に筐体１０１に装着された状態で、トナーコンテナ３０が単独で現像装置２０に着脱可能とされている。このため、トナーコンテナ３０が空になった場合でも、容易にトナーコンテナ３０を交換することが可能となる。トナーコンテナ３０が現像装置２０に装着されるまでの間は、コンテナシャッター３２がトナー排出口３０Ｐを塞ぐ位置から誤ってスライド移動されると、トナー排出口３０Ｐからトナーが漏れ出してしまう。本実施形態では、トナーコンテナ３０単体の状態では、コンテナシャッター３２がトナー排出口３０Ｐからスライド移動することが防止されている。
【００９０】
前カバー１０６の開状態において、プリンター１００の使用者によって、トナーコンテナ３０が筐体１０１内の現像装置２０に装着される。使用者によってトナーコンテナ３０の左ガイド３０１および右ガイド３１１がそれぞれ左ガイド溝２０１Ｌおよび右ガイド溝２０１Ｒに挿入されることで、トナーコンテナ３０は、左ガイド溝２０１Ｌおよび右ガイド溝２０１Ｒによって装着方向（図１２の矢印ＤＡ方向）に沿ってガイドされながらコンテナ装着部２０Ｈに装着される（図１２Ｂ、図１３Ａ）。この姿勢では、トナーコンテナ３０のトナー排出口３０Ｐが、現像装置２０のトナー補給口２０４の上方に離間して配置され、トナー排出口３０Ｐとトナー補給口２０４とは未だ連通していない（図１３Ａ）。
【００９１】
この際、現像ハウジング２００のストッパー押圧部２０６がシャッターストッパー３２Ｂのストッパー解除片３２Ｂ２（図４Ｂ）を押圧する。この結果、シャッターストッパー３２Ｂによるコンテナシャッター３２のロックが解除され、コンテナシャッター３２のコンテナ本体３１に対するスライド移動が可能となる。
【００９２】
一方、図１２Ｂの挿入姿勢をもってトナーコンテナ３０がコンテナ装着部２０Ｈに装着されると、コンテナシャッター３２のシャッター本体３２Ａの一対のシャッター係合片３２Ａ８（図４Ｂ）が、コンテナシャッター固定部２０７の楔形の切欠き部に係合する（図１２Ｂ）。この結果、コンテナシャッター３２がコンテナシャッター固定部２０７に固定される。この後、使用者によって、トナーコンテナ３０のコンテナ本体３１が、図１２Ｂの挿入姿勢から、コンテナパドル３０Ｋ（図１３Ａ）の軸心回りに第１回転方向（図１２Ｂの矢印ＤＭ方向）に回転される。
【００９３】
そして、トナー排出口３０Ｐが固定されたコンテナシャッター３２に対してスライド移動されながら、トナーコンテナ３０が図１２Ｃおよび図１３Ｂに示される補給位置に至る。図１２Ｃおよび図１３Ｂに示されるトナーコンテナ３０の姿勢では、トナーコンテナ３０のトナー排出口３０Ｐと現像装置２０のトナー補給口２０４とが連通する（図１３Ｂ）ことで、現像装置２０へのトナー補給が可能となる。
【００９４】
なお、トナーコンテナ３０がコンテナ装着部２０Ｈに装着されていない状態では、本体シャッター２２がトナー補給口２０４を封止している。そして、トナーコンテナ３０が前述のように第１回転方向に回転され、挿入姿勢から補給姿勢に姿勢変更されると、シャッタースプリング２０８（図５）の付勢力に抗して、トナーコンテナ３０の一部が本体シャッター２２を第１回転方向に押圧する。この結果、本体シャッター２２がトナーコンテナ３０のコンテナ本体３１とともに第１回転方向にスライド移動し、図１３Ｂに示すように、トナー補給口２０４が開放される。したがって、トナー排出口３０Ｐとトナー補給口２０４とが上下方向において連通することが可能となる。
【００９５】
図１２Ｃに示すように、補給姿勢をもってトナーコンテナ３０がコンテナ装着部２０Ｈに装着されると、ロック当接片２０２Ｓ（図５）がロック係合部３１２（図４Ａ）に係合する。この結果、ロック当接片２０２Ｓが、トナーコンテナ３０を補給姿勢（図１３Ｂ）にロックする。このロック状態では、シャッタースプリング２０８（図５）の付勢力が、本体シャッター２２を介してトナーコンテナ３０に及んでも、ロック当接片２０２Ｓによってトナーコンテナ３０の回転が規制される。このため、トナーコンテナ３０の第２回転方向への回転、すなわち、トナーコンテナ３０が補給姿勢から挿入姿勢に姿勢変更することが抑止される。
【００９６】
一方、トナーコンテナ３０内のトナーが空になったことが、不図示のセンサーによって検知されると、プリンター１００の不図示の表示部には、トナーコンテナ３０の交換表示が報知される。使用者が、ロックボタン２０２を押圧すると（図５）、ロック当接片２０２Ｓが後方に移動する。この結果、ロック当接片２０２Ｓがロック係合部３１２から後方に離間し、ロック当接片２０２Ｓとロック係合部３１２との係合が解除される。このため、ロック押圧部３１２を規制していた規制力が失われ、トナーコンテナ３０のロックが解除される。本体シャッター２２にはシャッタースプリング２０８の付勢力が付与されているため、本体シャッター２２がトナーコンテナ３０を押圧しながら、トナーコンテナ３０が第１回転方向とは反対の第２回転方向に回転する（図１３Ｂの矢印ＤＮ）。この結果、トナーコンテナ３０が、シャッタースプリング２０８の付勢力によって、自動的に補給姿勢から挿入姿勢に姿勢変更する。
【００９７】
トナーコンテナ３０の姿勢変更によって、トナー排出口３０Ｐが第２回転方向に回動し、トナー排出口３０Ｐが挿入位置において再びコンテナシャッター３２によって封止される。また、シャッタースプリング２０８の付勢力によって、本体シャッター２２がスライド移動することによって、トナー補給口２０４が本体シャッター２２によって再び封止される。
【００９８】
再び、図１２Ｂ、図１３Ａの挿入姿勢とされたトナーコンテナ３０が、コンテナ装着部２０Ｈから装着方向とは反対の方向に沿って脱離されることで、トナーコンテナ３０が現像装置２０から取り外される。このように、本実施形態では、トナーコンテナ３０のロックが解除されると、トナーコンテナ３０が挿入姿勢に姿勢変更される。この際、トナー排出口３０Ｐおよびトナー補給口２０４が、それぞれ、コンテナシャッター３２および本体シャッター２２によって封止されている。このため、使用者によってトナーコンテナ３０が取り外される際に、現像装置２０およびトナーコンテナ３０の周囲がトナーで汚染されることが防止される。
【００９９】
＜記憶部の接触式通信について＞
次に、図１４乃至図２１Ｂを参照して本実施形態に係る本体ユニット１５０のコネクタ部６およびトナーコンテナ３０の記憶部３５について説明する。図１４は、本実施形態に係るトナーコンテナ３０の記憶部３５の拡大斜視図である。図１５は、現像ユニット１２０Ｈの斜視図である。図１６は、本実施形態に係る本体ユニット１５０の斜視図である。図１７Ａおよび図１７Ｂは、本実施形態に係るコネクタ部６の斜視図である。図１８Ａおよび図１８Ｂは、コネクタ部６から後記のコネクタシャッター６１が取り除かれた状態の斜視図である。図１９Ａおよび図１９Ｂは、コネクタ部６のコネクタシャッター６１および後記の端子ユニット６２の斜視図である。図２０Ａおよび図２０Ｂは、コネクタ部６の端子ユニット６２の斜視図である。図２１Ａは、本実施形態に係るコネクタ部６およびシャッター付勢ばね６３の斜視図である。図２１Ｂは、コネクタ部６のシャッター付勢ばね６３およびハウジング付勢ばね６４の位置関係を示す斜視図である。
【０１００】
図４Ａおよび図１４を参照して、トナーコンテナ３０は、記憶部３５を備える。記憶部３５は、トナーコンテナ３０の本体部３１Ａの外周部に固定されている。記憶部３５は、ＩＣチップ３５０（基板部）と、グランド端子３５１（第１グランド端子）と、複数の入出力端子３５２（第１入出力端子）と、を備える。また、記憶部３５は、係合爪３５Ａと、先端規制部３５Ｂと、後端規制部３５Ｃと、ガイド片３５Ｄと、を備える。
【０１０１】
ＩＣチップ３５０は、略矩形形状を備える板状部材である。ＩＣチップ３５０には、トナーコンテナ３０の使用履歴やトナーコンテナ３０に収容されているトナー情報などが記憶されている。グランド端子３５１は、ＩＣチップ３５０の外部に露出したグランド線である。同様に、入出力端子３５２は、ＩＣチップ３５０の外部に露出した端子である。入出力端子３５２は、後記のコネクタ部６と電気的に接続されることで、ＩＣチップ３５０に記憶された各種情報の送受信を行う。
【０１０２】
係合爪３５Ａ、先端規制部３５Ｂ、後端規制部３５Ｃは、それぞれ、トナーコンテナ３０の本体部３１Ａから突設された突起であって、ＩＣチップ３５０を固定する機能を備えている。ガイド片３５Ｄは、ＩＣチップ３５０を挟むように本体部３１Ａから立設された突片である。ガイド片３５Ｄは、トナーコンテナ３０が現像装置２０に対して着脱される際のトナーコンテナ３０の回転方向（図５の矢印ＤＣ２、図１２Ｂの矢印ＤＭ）に沿って延びている。
【０１０３】
図１６を参照して、本体ユニット１５０は、コネクタ部６を備える。コネクタ部６は、トナーコンテナ３０のＩＣチップ３５０に電気的に接続されることで、プリンター１００とトナーコンテナ３０との各種情報の送受信を行う。前述のように、トナーコンテナ３０は、単体または現像装置２０と一体で筐体１０１に装着可能とされる。本実施形態では、前カバー１０６（図１）の開状態において、トナー排出口３０Ｐがトナー補給口２０４に連通するように現像装置２０のコンテナ装着部２０Ｈにトナーコンテナ３０が予め装着された状態で、トナーコンテナ３０が現像装置２０と一体的に筐体１０１の本体内部空間１０７に装着される態様が、第１の装着態様と定義される。一方、前カバー１０６の開状態において、予め本体内部空間１０７の現像位置に装着された現像装置２０のコンテナ装着部２０Ｈに対して、トナー排出口３０Ｐがトナー補給口２０４に連通するようにトナーコンテナ３０が装着される態様が、第２の装着態様と定義される。トナーコンテナ３０は、第１の装着態様または第２の装着態様から選択的に筐体１０１に装着可能である。
【０１０４】
図１５を参照して、現像ユニット１２０Ｈは、コンテナ支持板２００Ｈを備える。コンテナ支持板２００Ｈは、現像ハウジング２００の天板部に連設された支持板であって、トナーコンテナ３０を下方から支持する。コンテナ支持板２００Ｈは、切欠き部２００Ｈ１を備える。切欠き部２００Ｈ１は、コンテナ支持板２００Ｈの一部が部分的に切り掛れることで形成される。切欠き部２００Ｈ１は、トナーコンテナ３０が現像装置２０に装着された際に、ＩＣチップ３５０を現像ユニット１２０Ｈの下方に露出させる。
【０１０５】
トナーコンテナ３０が第１の装着態様で筐体１０１に装着される場合、前述のように、現像装置２０が現像位置に装着される最終段階で、現像ユニット１２０Ｈは下方に移動する。この際、切欠き部２００Ｈ１において露出したトナーコンテナ３０のＩＣチップ３５０が本体ユニット１５０のコネクタ部６（図１６）に電気的に接続される必要がある。一方、トナーコンテナ３０が第２の装着態様で筐体１０１に装着される際、トナーコンテナ３０は、現像装置２０のコンテナ装着部２０Ｈにおいて、所定の回転方向に回転される（図１２Ｂの矢印ＤＭ）。この際、図１５において、ＩＣチップ３５０は切欠き部２００Ｈ１の後方から前方に向かって切欠き部２００Ｈ１に露出する。このトナーコンテナ３０の回転動作に応じて、ＩＣチップ３５０がコネクタ部６に電気的に接続される必要がある。このように、トナーコンテナ３０の異なる動きに応じて、ＩＣチップ３５０とコネクタ部６との接続を実現するために、本実施形態に係るプリンター１００は、コネクタ部６の構造に特徴を有する。
【０１０６】
コネクタ部６は、筐体１０１の本体ユニット１５０において、トナーコンテナ３０に対向して配置される。コネクタ部６は、本体ユニット１５０に揺動可能に支持されている。コネクタ部６は、第１の装着態様または第２の装着態様によって本体内部空間１０７に装着されたトナーコンテナ３０のＩＣチップ３５０に電気的に接続される。図１６乃至図２１Ａを参照して、コネクタ部６は、コネクタハウジング６０と、コネクタシャッター６１（シャッター）と、端子ユニット６２と、シャッター付勢ばね６３（第２付勢部材）と、ハウジング付勢ばね６４（第１付勢部材）と、を備える。
【０１０７】
コネクタハウジング６０は、コネクタハウジング６０の筐体部分である。コネクタハウジング６０は、略直方体形状を備え、内部にコネクタシャッター６１および端子ユニット６２を収容する。コネクタハウジング６０は、ハウジング軸部６０Ｓ（図１７Ａ）と、支持面６０１（対向面）と、ガイド側壁６０２（ガイド部）と、ガイド前壁６０３と、ハウジング係止爪６０４（図１７Ｂ）と、基板係合爪６０５と、シャッター支持部６０６と、スプリング係止部６０７（図１８Ｂ）と、を備える。
【０１０８】
ハウジング軸部６０Ｓは、コネクタハウジング６０の後端部に配置された一対の軸部である。ハウジング軸部６０Ｓは、本体ユニット１５０のコネクタ支持部１５０Ｊ（図１６）に回動可能に支持されている。なお、ハウジング軸部６０Ｓは、コネクタハウジング６０において、トナーコンテナ３０が第２の装着態様で装着される際のトナーコンテナ３０の回転方向（図１２Ｂの矢印ＤＭ方向）上流側に配置されている。
【０１０９】
支持面６０１は、コネクタハウジング６０の上面部に相当する。トナーコンテナ３０が筐体１０１に装着されると、支持面６０１は、トナーコンテナ３０の記憶部３５に対向して配置される。支持面６０１は、ハウジング開口部６０Ｈ（開口部）を備える（図１７Ａ）。ハウジング開口部６０Ｈは、支持面６０１の略中央部において矩形形状をもって開口されている。ハウジング開口部６０Ｈは、左右方向に長く延びている。ハウジング開口部６０Ｈの後側の側部は、切欠き部端縁６０１Ａ（端縁、第２端縁）および開口部後端縁６０１Ｂ（端縁、第１端縁）によって画定されている。切欠き部端縁６０１Ａは、開口部後端縁６０１Ｂの一部が後方に向かって矩形状に切り欠かれることで形成される。なお、切欠き部端縁６０１Ａは、後記のグランド端子６２３（図１８Ａ）に対向して配置される。また、支持面６０１とハウジング軸部６０Ｓとの間には、支持面６０１に向かって先上がりの斜面６０１Ｔ（図１８Ａ）が形成されている。
【０１１０】
ガイド側壁６０２は、ハウジング開口部６０Ｈを挟むように、支持面６０１の左右の端部から立設された一対の壁部である。ガイド側壁６０２は、前後方向に長く延びるように形成されている。ガイド側壁６０２は、第１ガイド部６０２Ａと、第２ガイド部６０２Ｂとを備える。第１ガイド部６０２Ａは、ガイド側壁６０２の後端部が屈曲された領域である。一対の第１ガイド部６０２Ａは、支持面６０１に沿う方向においてハウジング軸部６０Ｓに近づくに従って先拡がりとなっている（図１７Ａ）。第２ガイド部６０２Ｂは、ガイド側壁６０２の前端側に形成されている。第２ガイド部６０２Ｂは、ガイド側壁６０２の上端部に形成されたテーパ面である。一対の第２ガイド部６０２Ｂは、支持面６０１と垂直な方向において支持面６０１から離れるに従って先拡がりとなっている。なお、図１７Ａでは、右側の第２ガイド部６０２Ｂのみが現れている。
【０１１１】
ガイド前壁６０３は、支持面６０１の前端部から立設された壁部である。ガイド前壁６０３は、左右方向に延びるように形成されている。なお、ガイド前壁６０３および一対のガイド側壁６０２によって、後方が開口された扁平状の空間からなるチップ収容部６Ｓ（図１７Ａ）が形成される。当該チップ収容部６Ｓには、トナーコンテナ３０の記憶部３５のＩＣチップ３５０が収容可能とされる（図２５Ａ参照）。
【０１１２】
ハウジング係止爪６０４は、コネクタハウジング６０の前側の壁部から略下方に向かって突設された爪部である。ハウジング係止爪６０４は、本体ユニット１５０の被係止部１５５Ａ（図２４Ａ）に係止可能とされる。基板係合爪６０５（図１７Ｂ）は、支持面６０１の裏側から突設された３つの爪部である。基板係合爪６０５によって、コネクタハウジング６０に端子ユニット６２が固定される。シャッター支持部６０６は、一対のハウジング軸部６０Ｓの前方において、支持面６０１の裏側に形成された一対の軸受部である。シャッター支持部６０６は、後記のコネクタシャッター６１のシャッター軸部６１Ｓを回動可能に支持する。スプリング係止部６０７は、ハウジング係止爪６０４の後方において、支持面６０１の裏側から突設された突起である。スプリング係止部６０７は、十字状に配置された４つの突起からなる。スプリング係止部６０７には、ハウジング付勢ばね６４の一端が係止される（図１７Ｂ）。
【０１１３】
コネクタシャッター６１（図１９Ａ）は、コネクタハウジング６０の内部に配置される。また、コネクタシャッター６１の一部は、コネクタハウジング６０のハウジング開口部６０Ｈから突出するように配置される。コネクタシャッター６１は、端子ユニット６２のグランド端子６２３および入出力端子６２４を保護する機能を備えている。コネクタシャッター６１は、カバー部６１１と、脚部６１２と、第１開口６１３と、第２開口６１４と、シャッター軸部６１Ｓと、を備える。
【０１１４】
カバー部６１１は、コネクタシャッター６１の本体部分であり、正面視で略コの字型形状からなる。カバー部６１１は、ハウジング開口部６０Ｈを覆うように配置される。カバー部６１１の上面部には、第１開口６１３（窓部）および第２開口６１４（窓部）が開口されている。第１開口６１３は、カバー部６１１の上面部の右端部に開口された開口部である。第２開口６１４は、第１開口６１３の左側に間隔をおいて３つ開口されている。第１開口６１３は、ハウジング開口部６０Ｈから突出したグランド端子６２３（図１８Ａ）を露出させる。また、第２開口６１４は、ハウジング開口部６０Ｈから突出した入出力端子６２４（図１８Ａ）をそれぞれ露出させる。カバー部６１１のうち第１開口６１３および第２開口６１４の周囲の領域によって、グランド端子６２３および入出力端子６２４が保護される。一対の脚部６１２は、カバー部６１１の左右の端部から後方に向かって延びている。そして、一対の脚部６１２の後端部には、それぞれシャッター軸部６１Ｓが配置されている。シャッター軸部６１Ｓは、コネクタシャッター６１の揺動における支点部となる。シャッター軸部６１Ｓは、コネクタハウジング６０のシャッター支持部６０６（図１７Ｂ）に回動可能に支持される。なお、シャッター軸部６１Ｓは、コネクタシャッター６１において、トナーコンテナ３０が第２の装着態様で装着される際のトナーコンテナ３０の回転方向（図１２Ｂの矢印ＤＭ方向）上流側に配置されている。
【０１１５】
更に、コネクタシャッター６１は、アース部６３２（図１９Ｂ）を備える。アース部６３２は、第１開口６１３および第２開口６１４の前側において、これらの開口に隣接して配置される。アース部６３２は、カバー部６１１の上端部において、左右方向に延びるように延設された電線である。アース部６３２は、プリンター１００の使用者がコネクタ部６に触れようとした場合などに、コネクタ部６において放電、リークが生じることを防止する。プリンター１００の使用が開始されると、アース部６３２は接地される。本実施形態では、アース部６３２は、シャッター付勢ばね６３の一部から構成される。
【０１１６】
端子ユニット６２（図２０Ａ、図２０Ｂ）は、コネクタハウジング６０の内部に配置される。また、図１９Ａ、図１９Ｂに示すように、端子ユニット６２は、コネクタシャッター６１のカバー部６１１の下方に配置される。端子ユニット６２は、基板６２１と、支持箱６２２と、グランド端子６２３（第２グランド端子）と、入出力端子６２４（第２入出力端子）と、を備える。
【０１１７】
基板６２１は、端子ユニット６２の下方部分に配置される。基板６２１は、略矩形形状からなる。基板６２１は、不図示のハーネスによって筐体１０１内の不図示の制御部に電気的に接続される。支持箱６２２は、基板６２１に連結された箱型形状からなる。支持箱６２２は、グランド端子６２３および入出力端子６２４を支持する機能を備えている。支持箱６２２の前側の壁部は、後記の支持壁６０Ｔとして機能する。図２０Ａおよび図２０Ｂに示すように、グランド端子６２３および３つの入出力端子６２４は、支持箱６２２に形成された溝部からそれぞれ突設された端子である。グランド端子６２３および入出力端子６２４は、側面視で略三角形状をなすように、屈曲された金属線からなる。グランド端子６２３および入出力端子６２４は、基板６２１の不図示の端子にそれぞれ電気的に接続されている。また、グランド端子６２３および入出力端子６２４は、板バネ状の弾性力をもってハウジング開口部６０Ｈから上方に向かって突出している（図１８Ａ）。トナーコンテナ３０が本体内部空間１０７に装着されると、グランド端子６２３および入出力端子６２４は、それぞれ記憶部３５のグランド端子３５１および入出力端子３５２に接触する。この際、グランド端子３５１および入出力端子３５２によって上方から押圧されることで、グランド端子６２３および入出力端子６２４は下方に弾性変形可能とされる。
【０１１８】
シャッター付勢ばね６３（図１９Ａ、図１９Ｂ）は、コネクタシャッター６１のカバー部６１１がハウジング開口部６０Ｈ（図１７Ａ）から突出するようにコネクタシャッター６１をシャッター軸部６１Ｓ回りに付勢する。シャッター付勢ばね６３は、第１コイル部６３１と、前述のアース部６３２と、導通部６３３とを備える。第１コイル部６３１、アース部６３２および導通部６３３は、１本の金属線からなる。第１コイル部６３１は、カバー部６１１の左端部に形成された突起６１１Ａ（図１９Ｂ）と、基板６２１との間で圧縮されるコイルばね部分である。アース部６３２は、第１コイル部６３１の上端部から延び、カバー部６１１の右端部に係止されている。アース部６３２は、前述のように、グランド端子６２３および入出力端子６２４でリークなどが生じることを防止する。一方、導通部６３３は、第１コイル部６３１の下端部から延び、コネクタシャッター６１および端子ユニット６２の前方において、略Ｕ字状に曲げられた領域である。導通部６３３は、図１７Ｂに示すように、スプリング係止部６０７（図１８Ｂ）に係止される。
【０１１９】
ハウジング付勢ばね６４（図２１Ａ、図２１Ｂ）は、コネクタハウジング６０と本体ユニット１５０との間で圧縮変形可能とされる。ハウジング付勢ばね６４は、グランド端子６２３および入出力端子６２４がグランド端子３５１および入出力端子３５２に近づく方向に、コネクタハウジング６０をハウジング軸部６０Ｓ回りに付勢する。ハウジング付勢ばね６４は、第２コイル部６４１と、ワイヤー部６４２と、フレーム導通部６４３と、を備える。第２コイル部６４１は、コネクタハウジング６０と本体ユニット１５０との間で圧縮変形されるコイルばね部分である。第２コイル部６４１の上端部は、コネクタハウジング６０のスプリング係止部６０７に係止される（図２４Ａ参照）。また、第２コイル部６４１の下端部は、本体ユニット１５０に備えられたばね支持部１５５Ｂ（図２４Ａ）に係止される。ワイヤー部６４２は、第２コイル部６４１の下端部から延びる線状部分であって、本体ユニット１５０（図１６）の内部において、左方に向かって延設されている。フレーム導通部６４３は、ワイヤー部６４２の先端部に形成されたコイル状部分およびフックからなる。フレーム導通部６４３は、本体ユニット１５０のユニット左壁１５０Ｌに開口された開口付近に係止されている（図１６）。予めコネクタ部６が装着された本体ユニット１５０が筐体１０１内に取り付けられると、ユニット左壁１５０Ｌから突出したフレーム導通部６４３は、筐体１０１の不図示の金属フレームに接触する。この結果、ハウジング付勢ばね６４が接地される。
【０１２０】
次に、図１４乃至図２１Ｂに加え、図２２Ａ乃至図２５Ｂを参照して、本体ユニット１５０に対するコネクタ部６の装着およびコネクタ部６の機能について、更に詳述する。図２２Ａは、本実施形態に係るコネクタ部６からコネクタシャッター６１が取り除かれた状態の平面図である。図２２Ｂは、図２２Ａのコネクタ部６の切断面Ａ−Ａにおける断面図である。図２２Ｃは、図２２Ａのコネクタ部６の切断面Ｂ−Ｂにおける断面図である。図２３Ａは、コネクタ部６の平面図である。図２３Ｂは、図２３Ａのコネクタ部６の切断面Ａ−Ａにおける断面図である。図２３Ｃは、図２３Ａのコネクタ部６の切断面Ｂ−Ｂにおける断面図である。図２４Ａは、トナーコンテナ３０が筐体１０１に装着されていない状態のコネクタ部６の断面図である。図２４Ｂは、トナーコンテナ３０が筐体１０１に装着された状態のコネクタ部６の断面図である。図２５Ａは、コネクタ部６にＩＣチップ３５０が収容された状態の斜視図である。図２５Ｂは、図２５Ａのコネクタ部６の断面図である。
【０１２１】
コネクタ部６が本体ユニット１５０に装着されるにあたって、以下の手順でコネクタ部６が組み立てられる。まず、コネクタハウジング６０の支持面６０１（図１７Ａ）とコネクタシャッター６１の脚部６１２（図１９Ａ）とが直交するようなコネクタシャッター６１の姿勢をもって、一対のシャッター軸部６１Ｓがコネクタハウジング６０の一対のシャッター支持部６０６に挿入される。そして、コネクタシャッター６１がシャッター軸部６１Ｓ回りに略９０度前方に回転されると、コネクタハウジング６０の内部にコネクタシャッター６１が収容される。この際、予めコネクタシャッター６１に取り付けられていたシャッター付勢ばね６３の導通部６３３が、コネクタハウジング６０の前端側において、スプリング係止部６０７に係止される（図１７Ｂ）。更に、コネクタシャッター６１との間で第１コイル部６３１を圧縮するように、コネクタハウジング６０の内部に端子ユニット６２（図２０Ａ）が装着される（図１７Ｂ）。この際、端子ユニット６２の基板６２１が３つの基板係合爪６０５によって係止される。本体ユニット１５０のばね支持部１５５Ｂに第２コイル部６４１が固定された状態で、コネクタハウジング６０のハウジング軸部６０Ｓがコネクタ支持部１５０Ｊに軸支される（図１６）。そして、コネクタハウジング６０のスプリング係止部６０７が第２コイル部６４１の上端部を圧縮しながら、ハウジング係止爪６０４が被係止部１５５Ａに係止される（図２４Ａ）。なお、コネクタハウジング６０の内部では、ハウジング付勢ばね６４の第２コイル部６４１と、シャッター付勢ばね６３の導通部６３３とが接触することで（図２１Ｂ）、シャッター付勢ばね６３とハウジング付勢ばね６４とが導通する。この結果、シャッター付勢ばね６３のアース部６３２が、前述の筐体１０１の金属フレームを介して接地される。
【０１２２】
図１８Ａおよび図２２Ａ乃至図２２Ｃでは説明のために、コネクタ部６からコネクタシャッター６１が取り外されている。コネクタシャッター６１がグランド端子６２３および入出力端子６２４に接触していない場合、グランド端子６２３は弾性力をもって切欠き部端縁６０１Ａの後端縁に当接している（図２２Ｂ）。同様に、３つの入出力端子６２４は、それぞれ弾性力をもって開口部後端縁６０１Ｂに当接している（図２２Ｃ）。この結果、ハウジング開口部６０Ｈに対するグランド端子６２３および入出力端子６２４の最大突出量が規制される。このため、接触不良が生じやすい端子などの突出量を予め高く設定することができ、コネクタ部６とＩＣチップ３５０との間の接触不良が防止される。特に、本実施形態では、切欠き部端縁６０１Ａが開口部後端縁６０１Ｂよりも後方に切り欠かれている。このため、図１８Ａに示すように、グランド端子６２３のハウジング開口部６０Ｈに対する最大突出量が、入出力端子６２４のハウジング開口部６０Ｈに対する最大突出量よりも大きく設定される。このため、トナーコンテナ３０の筐体１０１に対する装着に伴って、ＩＣチップ３５０が上方からチップ収容部６Ｓに進入する場合（図２５Ａの矢印Ｐ１）、または、ＩＣチップ３５０が後方からチップ収容部６Ｓに進入する場合（図２５Ａの矢印Ｐ２）のいずれにおいても、複数の端子のうちグランド端子３５１がグランド端子６２３に最初にかつ確実に接触することができる。この結果、コネクタ部６とＩＣチップ３５０との間の接触不良やリークなどによって、ＩＣチップ３５０が損傷することが防止される。また、トナーコンテナ３０の装着後に、ＩＣチップ３５０のグランド電位が安定して維持されるため、ＩＣチップ３５０とプリンター１００との間の各種情報の送受信が安定して実現される。
【０１２３】
図２５Ａを参照して、トナーコンテナ３０が第１の装着態様において本体内部空間１０７に装着される際には、記憶部３５のガイド片３５Ｄがテーパ状の第２ガイド部６０２Ｂにガイドされることで（図２５Ａの矢印Ｐ１）、ＩＣチップ３５０が支持面６０１に対向して配置される。一方、トナーコンテナ３０が第２の装着態様において本体内部空間１０７に装着される際には、記憶部３５のガイド片３５Ｄが第１ガイド部６０２Ａにガイドされることで（図２５Ａの矢印Ｐ２）、ＩＣチップ３５０が支持面６０１に対向して配置される。このため、トナーコンテナ３０が第１および第２のいずれの装着態様で装着される場合であっても、コネクタ部６とＩＣチップ３５０とがスムーズに電気的に接続される。
【０１２４】
図２６Ａは、本実施形態に係る本体ユニット１５０の断面図である。図２６Ｂは、図２６Ａの本体ユニット１５０のコネクタ支持部１５０Ｊの周辺を拡大した断面図である。図２６Ｂに示すように、一対のコネクタ支持部１５０Ｊの左側のコネクタ支持部１５０Ｊは、第１支持壁１５０Ｊ１および第２支持壁１５０Ｊ２の間に形成されている。なお、右側のコネクタ支持部１５０Ｊも同様の構造を備えている。コネクタ部６が本体ユニット１５０に装着されると、図２６Ｂに示すように、ハウジング軸部６０Ｓと第１支持壁１５０Ｊ１との間、および、ハウジング軸部６０Ｓと第２支持壁１５０Ｊ２との間には、それぞれ隙間Ｋ１およびＫ２が形成される。このため、コネクタ部６のコネクタハウジング６０は、ハウジング軸部６０Ｓの軸方向に所定の距離だけスライド移動可能となるように本体ユニット１５０に支持される。したがって、図２５Ａの矢印Ｐ２で示すように、トナーコンテナ３０が第２の装着態様で装着される際に、記憶部３５の軸方向（左右方向）の位置が変動した場合であっても、ＩＣチップ３５０を確実にチップ収容部６Ｓ内に収容させることができる。この結果、コネクタ部６とＩＣチップ３５０とがスムーズかつ確実に電気的に接続される。
【０１２５】
トナーコンテナ３０が筐体１０１に装着されていない場合、図２４Ａに示すように、コネクタハウジング６０は第２コイル部６４１によってハウジング軸部６０Ｓ回りに上方に付勢されている。また、コネクタシャッター６１は、第１コイル部６３１（図１９Ａ）の付勢力によってシャッター軸部６１Ｓ回りに上方に付勢されている。この際、図２３Ｂおよび図２３Ｃに示すように、コネクタハウジング６０のハウジング開口部６０Ｈから突出したグランド端子６２３および入出力端子６２４は、それぞれ、コネクタシャッター６１の第１開口６１３および第２開口６１４の内部に没している。このため、グランド端子６２３および入出力端子６２４が物理的にも安定して保護される。
【０１２６】
トナーコンテナ３０が現像装置２０と一体的に第１の装着態様で筐体１０１に装着される場合、図２４Ａのコネクタ部６の上方から、ＩＣチップ３５０が下方に向かって移動してくる（図２５Ａの矢印Ｐ１）。この際、記憶部３５のガイド片３５Ｄが第２ガイド部６０２Ｂ（図２５Ａ）によって案内されながら、支持面６０１（図２４Ｂ）を押圧することで、コネクタハウジング６０が第２コイル部６４１の付勢力に抗してハウジング軸部６０Ｓ回りに下降する。また、ＩＣチップ３５０がコネクタシャッター６１を下方に押圧するため、コネクタシャッター６１は第１コイル部６３１の付勢力に抗してシャッター軸部６１Ｓ回りに下降する。この際、第１開口６１３の第１開口端縁６１３Ａ（図２３Ｂ）および第２開口６１４の第２開口端縁６１４Ａ（図２３Ｃ）によって、グランド端子６２３および入出力端子６２４の突出量が更に規制される。やがて、図２４Ｂおよび図２５Ｂに示すように、コネクタシャッター６１がＩＣチップ３５０の厚さ方向において、ＩＣチップ３５０と支持壁６０Ｔとに挟まれた状態で、コネクタハウジング６０およびコネクタシャッター６１の回動が停止する。なお、図２４Ｂでは、各部材の配置を示すために、入出力端子６２４とＩＣチップ３５０とが重ねるように図示されているが、実際には、図２５Ｂに示すように、入出力端子６２４はＩＣチップ３５０によって下方に押圧されている。
【０１２７】
一方、トナーコンテナ３０が第２の装着態様で筐体１０１内の現像装置２０に装着される場合、図２４Ａのコネクタ部６の後方から、ＩＣチップ３５０が前方に向かって移動してくる（図２５Ａの矢印Ｐ２）。この際、記憶部３５のガイド片３５Ｄが斜面６０１Ｔ（図２４Ａ）および第１ガイド部６０２Ａ（図２５Ａ）によって案内されながら、支持面６０１（図２４Ｂ）を押圧することで、コネクタハウジング６０が第２コイル部６４１の付勢力に抗してハウジング軸部６０Ｓ回りに下降する。また、ＩＣチップ３５０は、支持面６０１に沿ってコネクタシャッター６１に当接しながら、コネクタシャッター６１を下方に押圧するため、コネクタシャッター６１は第１コイル部６３１の付勢力に抗してシャッター軸部６１Ｓ回りに下降する。やがて、図２４Ｂおよび図２５Ｂに示すように、コネクタシャッター６１がＩＣチップ３５０の厚さ方向において、ＩＣチップ３５０と支持壁６０Ｔとに挟まれた状態で、コネクタハウジング６０およびコネクタシャッター６１の回動が停止する。
【０１２８】
このように、本実施形態では、トナーコンテナ３０が第１の装着態様または第２の装着態様によって本体内部空間１０７に装着される際に、ハウジング付勢ばね６４の第２コイル部６４１が圧縮変形されることで、グランド端子６２３および入出力端子６２４のグランド端子３５１および入出力端子３５２に対する当接圧が調整される。図２４Ｂに示すように、トナーコンテナ３０の装着状態では、ハウジング係止爪６０４が被係止部１５５Ａから下方に離間している。このため、コネクタ部６および記憶部３５のそれぞれの端子同士が過剰な力で当接することが抑止され、特に、ＩＣチップ３５０側の端子が破損することが防止される。
【０１２９】
また、記憶部３５がコネクタ部６に対向して配置されると、コネクタシャッター６１がコネクタハウジング６０およびＩＣチップ３５０に当接しかつ挟まれることで、グランド端子６２３および入出力端子６２４のグランド端子３５１および入出力端子３５２に対する最終的な当接圧が規制される。すなわち、コネクタシャッター６１がスペーサとして機能し、ＩＣチップ３５０と端子ユニット６２との位置が決定される。このため、トナーコンテナ３０がいずれの装着態様で装着された場合であっても、また、トナーコンテナ３０が筐体１０１に複数回装着される場合であっても、コネクタ部６および記憶部３５の端子同士の当接圧が安定して維持される。
【０１３０】
以上、本発明の実施形態に係るトナーコンテナ３０を備えたプリンター１００について説明した。このような構成によれば、トナーコンテナ３０が複数の姿勢で筐体１０１に対して着脱可能とされる場合であっても、記憶部３５の接触不良を抑止したプリンター１００が提供される。なお、本発明はこれに限定されるものではなく、例えば次のような変形実施形態を採用することができる。
【０１３１】
（１）上記の実施形態では、記憶部３５の入出力端子３５２およびコネクタ部６の入出力端子６２４がそれぞれ３つずつ配置される態様にて説明したが、本発明はこれに限定されるものではない。入出力端子の数は、１つまたは複数であってもよい。
【０１３２】
（２）また、上記の実施形態では、現像装置２０のコンテナ装着部２０Ｈに装着される際のトナーコンテナ３０の回転方向が、図１２Ｂの矢印ＤＭ方向として説明したが、本発明はこれに限定されるものではない。トナーコンテナ３０は、図１２Ｂの矢印ＤＭとは逆方向に回転されながら、現像装置２０に装着されるものでもよい。この場合、コネクタハウジング６０のハウジング軸部６０Ｓの配置が、図１６とは逆（前端側）に配置されることが望ましい。
【符号の説明】
【０１３３】
１００  プリンター
１０１  筐体（装置本体）
１０４  本体前壁
１０６  前カバー（カバー部材）
１０７  本体内部空間（内部空間）
１２０  画像形成部
１２０Ｈ  現像ユニット
１５０  本体ユニット（ガイドユニット）
２０  現像装置
２００  現像ハウジング
２０４  トナー補給口（現像剤補給口）
２０Ｈ  コンテナ装着部（装着部）
２１Ａ  現像ローラー
３０  トナーコンテナ（現像剤収容容器）
３０Ｐ  トナー排出口（現像剤排出口）
３１  コンテナ本体
３５  記憶部
３５０  ＩＣチップ（基板部）
３５１  グランド端子（第１グランド端子）
３５２  入出力端子（第１入出力端子）
３５Ａ  係合爪
３５Ｂ  先端規制部
３５Ｃ  後端規制部
３５Ｄ  ガイド片
６  コネクタ部
６０  コネクタハウジング
６０１  支持面（対向面）
６０１Ａ  切欠き部端縁（端縁、第２端縁）
６０１Ｂ  開口部後端縁（端縁、第１端縁）
６０２  ガイド側壁（ガイド部）
６０２Ａ  第１ガイド部
６０２Ｂ  第２ガイド部
６０３  ガイド前壁
６０４  ハウジング係止爪
６０５  基板係合爪
６０６  シャッター支持部
６０７  スプリング係止部
６０Ｈ  ハウジング開口部（開口部）
６０Ｓ  ハウジング軸部
６０Ｔ  支持壁
６１  コネクタシャッター（シャッター）
６１  カバー部
６１３  第１開口（窓部）
６１４  第２開口（窓部）
６１Ｓ  シャッター軸部
６２  端子ユニット
６２１  基板
６２２  支持箱
６２３  グランド端子（第２グランド端子）
６２４  入出力端子（第２入出力端子）
６３  シャッター付勢ばね（第２付勢部材）
６３２  アース部
６４  ハウジング付勢ばね（第１付勢部材）
６Ｓ  チップ収容部
【図１】
0006390563.tif 000002
【図２】
0006390563.tif 000003
【図３】
0006390563.tif 000004
【図４Ａ】
0006390563.tif 000005
【図４Ｂ】
0006390563.tif 000006
【図５】
0006390563.tif 000007
【図６】
0006390563.tif 000008
【図７】
0006390563.tif 000009
【図８】
0006390563.tif 000010
【図９】
0006390563.tif 000011
【図１０】
0006390563.tif 000012
【図１１Ａ】
0006390563.tif 000013
【図１１Ｂ】
0006390563.tif 000014
【図１２Ａ】
0006390563.tif 000015
【図１２Ｂ】
0006390563.tif 000016
【図１２Ｃ】
0006390563.tif 000017
【図１３Ａ】
0006390563.tif 000018
【図１３Ｂ】
0006390563.tif 000019
【図１４】
0006390563.tif 000020
【図１５】
0006390563.tif 000021
【図１６】
0006390563.tif 000022
【図１７Ａ】
0006390563.tif 000023
【図１７Ｂ】
0006390563.tif 000024
【図１８Ａ】
0006390563.tif 000025
【図１８Ｂ】
0006390563.tif 000026
【図１９Ａ】
0006390563.tif 000027
【図１９Ｂ】
0006390563.tif 000028
【図２０Ａ】
0006390563.tif 000029
【図２０Ｂ】
0006390563.tif 000030
【図２１Ａ】
0006390563.tif 000031
【図２１Ｂ】
0006390563.tif 000032
【図２２Ａ】
0006390563.tif 000033
【図２２Ｂ】
0006390563.tif 000034
【図２２Ｃ】
0006390563.tif 000035
【図２３Ａ】
0006390563.tif 000036
【図２３Ｂ】
0006390563.tif 000037
【図２３Ｃ】
0006390563.tif 000038
【図２４Ａ】
0006390563.tif 000039
【図２４Ｂ】
0006390563.tif 000040
【図２５Ａ】
0006390563.tif 000041
【図２５Ｂ】
0006390563.tif 000042
【図２６Ａ】
0006390563.tif 000043
【図２６Ｂ】
0006390563.tif 000044